(57)【特許請求の範囲】
【請求項１】
画像形成装置から出力された連続紙を裁断するための裁断手段と、
障害が発生した場合、当該障害が発生するまでに前記裁断手段により裁断が行われた連続紙の用紙長を算出する算出手段と、
前記算出手段により算出された用紙長の情報を前記画像形成装置に送信する送信手段と、
を備えた裁断処理装置。
【請求項２】
前記算出手段は、用紙搬送速度と、前記裁断手段における裁断間隔の時間と、障害が発生するまでに裁断が行われた回数と、前記裁断に必要な時間とに基づいて、障害が発生するまでに裁断が行われた連続紙の用紙長を算出する請求項１記載の裁断処理装置。
【請求項３】
前記算出手段によって算出された用紙長の情報は、前記送信手段によって送信される画像形成装置が画像を出力するときに用いられる情報である請求項１または２記載の裁断処理装置。
【請求項４】
出力指示を受けた印刷データに基づいて連続紙に画像を出力する出力手段と、
障害が発生して印刷処理が中断した場合、出力した印刷処理後の連続紙を裁断する裁断処理装置から、当該障害が発生するまでに裁断が行われた連続紙の用紙長の情報を受信する受信手段と、
前記受信手段が受信した情報に基づく用紙長分の画像を除いて、前記印刷データの出力を再実行するよう前記出力部を制御する制御手段と、
を備えた画像形成装置。
【請求項５】
前記受信手段が受信した情報に基づく用紙長分の課金を行う課金手段をさらに備えた請求項４記載の画像形成装置。
【請求項６】
画像形成装置から出力された連続紙を裁断するための裁断手段と、障害が発生した場合、当該障害が発生するまでに前記裁断手段により裁断が行われた連続紙の用紙長を算出する算出手段と、前記算出手段により算出された用紙長の情報を前記画像形成装置に送信する送信手段とを備えた裁断処理装置と、
出力指示を受けた印刷データに基づいて連続紙に画像を出力する出力手段と、障害が発生して印刷処理が中断した場合、前記裁断処理装置から当該障害が発生するまでに裁断が行われた連続紙の用紙長の情報を受信する受信手段と、前記受信手段が受信した情報に基づく用紙長分の画像を除いて、前記印刷データの出力を再実行するよう前記出力部を制御する制御手段とを備えた画像形成装置と、
を有する印刷システム。
【請求項７】
画像形成装置から出力された連続紙を裁断するためのステップと、
障害が発生した場合、当該障害が発生するまでに裁断が行われた連続紙の用紙長を算出するステップと、
算出された用紙長の情報を前記画像形成装置に送信するステップとをコンピュータに実行させるためのプログラム。
【請求項８】
出力指示を受けた印刷データに基づいて連続紙に画像を出力するステップと、
障害が発生して印刷処理が中断した場合、出力した印刷処理後の連続紙を裁断する裁断処理装置から、当該障害が発生するまでに裁断が行われた連続紙の用紙長の情報を受信するステップと、
受信した情報に基づく用紙長分の画像を除いて、前記印刷データの出力を再実行するよう印刷処理を制御するステップとをコンピュータに実行させるためのプログラム。
【発明の詳細な説明】
【技術分野】
【０００１】
本発明は、画像形成装置、裁断処理装置、印刷システムおよびプログラムに関する。
【背景技術】
【０００２】
特許文献１には、画像形成動作中に原稿搬送トラブルが検出された場合に、給紙部から給紙されたロール紙を、トラブル発生以前に感光体上に形成された画像を転写するのに必要な長さにカットし、画像の転写以後の画像形成工程及びカットされた用紙の排出処理を行うようにした画像形成装置が開示されている。
【先行技術文献】
【特許文献】
【０００３】
【特許文献１】特開平０１−１１０４５１号公報
【発明の概要】
【発明が解決しようとする課題】
【０００４】
本発明の目的は、連続紙に対する印刷処理の途中で障害が発生した場合でも重複した印刷結果の発生を防ぐために必要な情報を通知することができる画像形成装置、裁断処理装置、印刷システムおよびプログラムを提供することである。
【課題を解決するための手段】
【０００５】
［裁断処理装置］
請求項１に係る本発明は、画像形成装置から出力された連続紙を裁断するための裁断手段と、障害が発生した場合、当該障害が発生するまでに前記裁断手段により裁断が行われた連続紙の用紙長を算出する算出手段と、前記算出手段により算出された用紙長の情報を前記画像形成装置に送信する送信手段とを備えた裁断処理装置である。
【０００６】
請求項２に係る本発明は、前記算出手段が、用紙搬送速度と、前記裁断手段における裁断間隔の時間と、障害が発生するまでに裁断が行われた回数と、前記裁断に必要な時間とに基づいて、障害が発生するまでに裁断が行われた連続紙の用紙長を算出する請求項１記載の裁断処理装置である。
【０００７】
請求項３に係る本発明は、前記算出手段によって算出された用紙長の情報が、前記送信手段によって送信される画像形成装置が画像を出力するときに用いられる情報である請求項１または２記載の裁断処理装置である。
【０００８】
［画像形成装置］
請求項４に係る本発明は、出力指示を受けた印刷データに基づいて連続紙に画像を出力する出力手段と、
障害が発生して印刷処理が中断した場合、出力した印刷処理後の連続紙を裁断する裁断処理装置から、当該障害が発生するまでに裁断が行われた連続紙の用紙長の情報を受信する受信手段と、
前記受信手段が受信した情報に基づく用紙長分の画像を除いて、前記印刷データの出力を再実行するよう前記出力部を制御する制御手段とを備えた画像形成装置である。
【０００９】
請求項５に係る本発明は、前記受信手段が受信した情報に基づく用紙長分の課金を行う課金手段をさらに備えた請求項４記載の画像形成装置である。
【００１０】
［印刷システム］
請求項６に係る本発明は、画像形成装置から出力された連続紙を裁断するための裁断手段と、障害が発生した場合、当該障害が発生するまでに前記裁断手段により裁断が行われた連続紙の用紙長を算出する算出手段と、前記算出手段により算出された用紙長の情報を前記画像形成装置に送信する送信手段とを備えた裁断処理装置と、
出力指示を受けた印刷データに基づいて連続紙に画像を出力する出力手段と、障害が発生して印刷処理が中断した場合、前記裁断処理装置から当該障害が発生するまでに裁断が行われた連続紙の用紙長の情報を受信する受信手段と、前記受信手段が受信した情報に基づく用紙長分の画像を除いて、前記印刷データの出力を再実行するよう前記出力部を制御する制御手段とを備えた画像形成装置とを有する印刷システムである。
【００１１】
［プログラム］
請求項７に係る本発明は、画像形成装置から出力された連続紙を裁断するためのステップと、
障害が発生した場合、当該障害が発生するまでに裁断が行われた連続紙の用紙長を算出するステップと、
算出された用紙長の情報を前記画像形成装置に送信するステップとをコンピュータに実行させるためのプログラムである。
【００１２】
請求項８に係る本発明は、出力指示を受けた印刷データに基づいて連続紙に画像を出力するステップと、
障害が発生して印刷処理が中断した場合、出力した印刷処理後の連続紙を裁断する裁断処理装置から、当該障害が発生するまでに裁断が行われた連続紙の用紙長の情報を受信するステップと、
受信した情報に基づく用紙長分の画像を除いて、前記印刷データの出力を再実行するよう印刷処理を制御するステップとをコンピュータに実行させるためのプログラムである。
【発明の効果】
【００１３】
請求項１に係る本発明によれば、連続紙に対する印刷処理の途中で障害が発生した場合でも重複した印刷結果の発生を防ぐために必要な情報を通知することができる裁断処理装置を提供することができる。
【００１４】
請求項２に係る本発明によれば、連続紙に対する印刷処理の途中で障害が発生した場合でも重複した印刷結果の発生を防ぐために必要な情報を通知することができる裁断処理装置を提供することができる。
【００１５】
請求項３に係る本発明によれば、連続紙に対する印刷処理の途中で障害が発生した場合でも重複した印刷結果の発生を防ぐことができる裁断処理装置を提供することができる。
【００１６】
請求項４に係る本発明によれば、連続紙に対する印刷処理の途中で障害が発生した場合でも重複した印刷結果の発生を防ぐことができる画像形成装置を提供することができる。
【００１７】
請求項５に係る本発明によれば、請求項４に係る発明により得られる効果に加えて、連続紙に対する印刷処理の途中で障害が発生した場合でも正常に出力された印刷結果に対する課金を行うことができる画像形成装置を提供することができる。
【００１８】
請求項６に係る本発明によれば、連続紙に対する印刷処理の途中で障害が発生した場合でも重複した印刷結果の発生を防ぐことができる印刷システムを提供することができる。
【００１９】
請求項７に係る本発明によれば、連続紙に対する印刷処理の途中で障害が発生した場合でも重複した印刷結果の発生を防ぐために必要な情報を通知することができるプログラムを提供することができる。
【００２０】
請求項８に係る本発明によれば、連続紙に対する印刷処理の途中で障害が発生した場合でも重複した印刷結果の発生を防ぐことができるプログラムを提供することができる。
【図面の簡単な説明】
【００２１】
【図１】本発明の一実施形態の印刷システムのシステム構成を示す図である。
【図２】本発明の第１の実施形態における画像形成装置１０において印刷されるカットマークを説明するための図である。
【図３】本発明の一実施形態における画像形成装置１０のハードウェア構成を示すブロック図である。
【図４】本発明の一実施形態における画像形成装置１０の機能構成を示すブロック図である。
【図５】障害が何も発生しない場合に、裁断処理装置２０で印刷結果が順次出力される様子を示した図である。
【図６】印刷処理の途中でジャムが発生した場合の様子を説明するための図である。
【図７】図６で示したようなジャムが発生した場合、自動リカバリ処理が行われた結果を説明するための図である。
【図８】本発明の一実施形態における裁断処理装置２０のハードウェア構成を示すブロック図である。
【図９】本発明の一実施形態における裁断処理装置２０の機能構成を示すブロック図である。
【図１０】裁断処理装置２０でエラーが発生した場合の、本発明の一実施形態の印刷システムの動作を示すフローチャートである。
【図１１】画像形成装置１０でエラーが発生した場合の、本発明の一実施形態の印刷システムの動作を示すフローチャートである。
【発明を実施するための形態】
【００２２】
次に、本発明の実施の形態について図面を参照して詳細に説明する。
【００２３】
図１は本発明の一実施形態の画像形成システムの構成を示すブロック図である。
【００２４】
本実施形態の印刷システムは、図１に示されるように、画像形成装置（プリンタ）１０と裁断処理装置（カッター）２０と、端末装置４０とから構成されている。
【００２５】
画像形成装置１０は、端末装置４０から出力指示を受けた印刷データに基づいて、連続紙（ロール紙、長尺用紙）に画像を出力する印刷部（出力手段）１６を備え、給紙部から供給された連続紙上に画像を印刷する。
【００２６】
裁断処理装置２０は、画像形成装置１０により画像が出力された連続紙の裁断処理を行うための装置であり、画像形成装置１０から出力された印刷処理後の連続紙を裁断するためのカット機構（裁断手段）２６を備えている。
【００２７】
画像形成装置１０では、連続紙上に印刷データに基づく画像とともに、例えば図２に示すようなカットマークを印刷する。そして、裁断処理装置２０は、図示されないセンサによりこのカットマークを読み取り、読み取ったカットマークの位置に基づいてカット機構２６を制御することにより印刷後の連続紙を裁断して出力している。
【００２８】
そして、画像形成装置１０と裁断処理装置２０とは通信ケーブル３０により接続されている。画像形成装置１０と裁断処理装置２０とは、この通信ケーブル３０を介して、エラー（障害）が発生したことを示すエラー情報等の情報の送受信を行っている。例えば、画像形成装置１０において用紙切れや用紙詰まり（ジャム）等の障害が発生した場合、画像形成装置１０から裁断処理装置２０に対してエラーの発生が通知される。また、裁断処理装置２０１０において用紙詰まり等の障害が発生した場合、裁断処理装置２０から画像形成装置１０に対してエラーの発生が通知される。
【００２９】
次に、本実施形態の印刷システムにおける画像形成装置１０のハードウェア構成を図３に示す。
【００３０】
画像形成装置１０は、図３に示されるように、ＣＰＵ１１、メモリ１２、ハードディスクドライブ（ＨＤＤ）等の記憶装置１３、通信ケーブル３０を介して裁断処理装置２０との間でデータの送信及び受信を行う通信インタフェース（ＩＦ）１４、タッチパネル又は液晶ディスプレイ並びにキーボードを含むユーザインタフェース（ＵＩ）装置１５、印刷部１６を有する。これらの構成要素は、制御バス１７を介して互いに接続されている。
【００３１】
ＣＰＵ１１は、メモリ１２または記憶装置１３に格納された制御プログラムに基づいて所定の処理を実行して、画像形成装置１０の動作を制御する。
【００３２】
なお、本実施形態では、ＣＰＵ１１は、メモリ１２または記憶装置１３内に格納された制御プログラムを読み出して実行するものとして説明したが、当該プログラムをＣＤ−ＲＯＭ等の記憶媒体に格納してＣＰＵ１１に提供することも可能である。
【００３３】
図４は、上記の制御プログラムが実行されることにより実現される画像形成装置１０の機能構成を示すブロック図である。
【００３４】
本実施形態の画像形成装置１０は、図４に示されるように、印刷部（出力手段）１６と、制御部４１と、課金部４２と、データ送受信部４３とを備えている。
【００３５】
印刷部１６は、制御部４１による制御に基づいて、端末装置４０等から出力指示を受けた印刷データに基づいて連続紙に画像を出力する。
【００３６】
データ送受信部４３は、外部に接続された裁断処理装置２０のような後処理装置との間で情報を送受信する送受信手段として機能している。具体的には、画像形成装置１０において、紙詰まり等の障害が発生した場合には、データ送受信部４３は、制御部４１による制御に基づいて、エラー情報を裁断処理装置２０に送信する。また、データ送受信部４３は、裁断処理装置２０において障害が発生した場合には、エラー情報を裁断処理装置２０から受信する。
【００３７】
制御部４１は、印刷部１６による印刷処理の動作を制御している。そして、制御部４１は、画像形成装置１０において紙詰まり等の障害が発生した場合、印刷部１６における印刷処理を途中で停止するとともに、データ送受信部４３を介して裁断処理装置２０にエラー情報を送信する。また、裁断処理装置２０からデータ送受信部４３を介してエラー情報を受信した場合、制御部４１は、印刷部１６の印刷処理を停止させる制御を行う。
【００３８】
課金部４２は、印刷部１６において印刷処理が行われた印刷ジョブに対する料金を課金する処理を行っている。
【００３９】
また、制御部４１は、出力指示を受けた印刷データの出力処理が正常に完了しなかった場合、この印刷データの出力を再度実行する自動リカバリ処理（自動再印刷処理）が行われるように印刷部１６を制御する。
【００４０】
ここで自動リカバリ処理を行うための自動リカバリ機能について以下に説明する。
【００４１】
自動リカバリ機能とは、ある印刷指示の実行中に、用紙切れ、用紙詰まり（ジャム）等の何らかの障害が発生して印刷指示が最後まで実行できなかった場合、使用者に問い合わせることなく自動的に印刷指示の再実行を行う機能である。しかし、連続紙を用いた印刷処理を行い裁断処理装置で印刷後の連続紙を裁断するような印刷システムにおいて、この自動リカバリ機能を常に実行すると問題が発生する場合がある。
【００４２】
この自動リカバリ機能を常に実行した場合の出力結果の例を図５〜図７を参照して説明する。
【００４３】
先ず最初に、障害が何も発生しない場合の画像形成装置１０と裁断処理装置２０の出力例を図５に示す。図５に示されるように、画像形成装置１０において連続紙への印刷処理中にジャム発生、用紙詰まり等の障害が何も発生せず、裁断処理装置２０においても何の障害も発生しない場合、裁断処理装置２０では正常に裁断処理が行われて各ページ毎の印刷結果が順次出力される。
【００４４】
ここで、図６に示すように、画像形成装置１０において３ページ目の印刷終了後に４ページの画像の印刷途中でジャムが発生したものとする。このような場合、画像形成装置１０では、印刷ジョブ（印刷指示）全体の出力処理が正常に完了しなかったものと認識される。しかし、連続紙上で第１〜３ページ分は正常な印刷が行われているので、裁断処理装置２０で裁断処理が行われることにより第１〜第３ページまでは正常な印刷結果が得られる。つまり、使用者にとっては、第１〜第３ページまでは正常な印刷結果が得られ、第４ページ以降について正常な印刷結果が得られなかったと認識されることになる。
【００４５】
そのため、このような場合に自動リカバリ処理を実行すると、図７に示すように、使用者にとっては第１〜第３ページについては正常な印刷結果が得られているのに、再度第１〜第３ページについても再印刷が行われ重複した印刷結果を得ることになる。
【００４６】
そのため、本実施形態では、データ送受信部４３は、画像形成装置１０または裁断処理装置２０のいずれかにおいて障害が発生して印刷処理が中断した場合、裁断処理装置２０から、障害が発生するまでに裁断が行われた連続紙の用紙長の情報を受信する。
【００４７】
そして、制御部４１は、画像形成装置１０または裁断処理装置２０において紙詰まり等の障害が発生して印刷処理が途中で停止した場合、データ送受信部４３が裁断処理装置２０から受信した情報に基づく用紙長分の画像を除いて、印刷データの出力を再実行するよう印刷部１６を制御する。
【００４８】
課金部４２は、データ送受信部４３が裁断処理装置２０から受信した情報に基づく用紙長分の課金を行う。具体的には、課金部４２は、障害が発生するまでに裁断処理装置２０において正常出力した用紙長に、単位当たりの単価を乗算することにより正常出力した用紙長分の料金を算出し、この料金を使用者に対して課金する。
【００４９】
なお、本実施形態では、課金部４２を制御部４１とは別構成として説明しているが、課金部４２の機能が制御部４１に含まれるような構成とすることも可能である。
【００５０】
次に、本実施形態の印刷システムにおける裁断処理装置２０のハードウェア構成を図８に示す。
【００５１】
裁断処理装置２０は、図８に示されるように、ＣＰＵ２１、メモリ２２、ハードディスクドライブ（ＨＤＤ）等の記憶装置２３、通信ケーブル３０を介して画像形成装置１０との間でデータの送信及び受信を行う通信インタフェース（ＩＦ）２４、タッチパネル又は液晶ディスプレイ等のユーザインタフェース（ＵＩ）装置２５、カット機構２６を有する。これらの構成要素は、制御バス２７を介して互いに接続されている。
【００５２】
ＣＰＵ２１は、メモリ２２または記憶装置２３に格納された制御プログラムに基づいて所定の処理を実行して、裁断処理装置２０の動作を制御する。
【００５３】
なお、本実施形態では、ＣＰＵ２１は、メモリ２２または記憶装置２３内に格納された制御プログラムを読み出して実行するものとして説明したが、当該プログラムをＣＤ−ＲＯＭ等の記憶媒体に格納してＣＰＵ２１に提供することも可能である。
【００５４】
図９は、上記の制御プログラムが実行されることにより実現される裁断処理装置２０の機能構成を示すブロック図である。
【００５５】
本実施形態の裁断処理装置２０は、図６に示されるように、カット機構２６と、制御部３１と、算出部３２と、データ送受信部３３とを備えている。
【００５６】
データ送受信部３３は、画像形成装置１０との間で情報を送受信する処理を行う。具体的には、裁断処理装置２０において、紙詰まり等の障害が発生した場合には、データ送受信部３３は、制御部３１による制御に基づいて、エラー情報を画像形成装置１０に送信する。また、データ送受信部３３は、画像形成装置１０において障害が発生した場合には、エラー情報を画像形成装置１０から受信する。
【００５７】
制御部３１は、カット機構２６による裁断処理の動作を制御している。そして、制御部３１は、裁断処理装置２０において紙詰まり等の障害が発生した場合、カット機構２６における裁断処理を途中で停止するとともに、データ送受信部３３を介して画像形成装置１０にエラー情報を送信する。また、画像形成装置１０からデータ送受信部３３を介してエラー情報を受信した場合、制御部３１は、カット機構２６の裁断処理を停止させる制御を行う。
【００５８】
算出部３２は、裁断処理装置２０または画像形成装置１０において障害が発生して裁断処理が途中で停止した場合、この障害が発生するまでにカット機構２６により裁断が行われた連続紙の用紙長を算出する。
【００５９】
具体的には、算出部３２は、用紙搬送速度と、カット機構２６における裁断間隔の時間と、障害が発生するまでに裁断が行われた回数と、裁断に必要な時間とに基づいて、障害が発生するまでに裁断が行われた連続紙の用紙長を算出する。
【００６０】
例えば、用紙搬送速度が１５０ｍｍ／秒、裁断間隔の時間が３秒、障害が発生するまでに裁断が行われた回数が１５回の場合、算出部３２は、下記の式に基づいて６７５０ｍｍを障害が発生するまでに裁断が行われた連続紙の用紙長として算出する。
１５０（ｍｍ／秒）×３（秒）×１５（回）＝６７５０ｍｍ
【００６１】
そして、データ送受信部３３は、制御部３１による制御に基づいて、算出部３２により算出された用紙長の情報を画像形成装置１０に送信する。
【００６２】
つまり、算出部３２によって算出された用紙長の情報は、データ送受信部３３によって送信される画像形成装置１０が画像を出力するときに用いられる情報である。
【００６３】
次に、本実施形態の印刷システムの動作を図１０、図１１のフローチャートを参照して説明する。
【００６４】
図１０は、裁断処理装置２０でエラーが発生した場合の、本発明の一実施形態の印刷システムの動作を示すフローチャートである。そして、図１１は、画像形成装置１０でエラーが発生した場合の、本発明の一実施形態の印刷システムの動作を示すフローチャートである。
【００６５】
先ず、裁断処理装置２０でエラーが発生した場合の動作を図１０を参照して説明する。
【００６６】
画像形成装置１０が印刷処理を開始すると、裁断処理装置２０においても裁断処理が開始される（ステップＳ１０１、Ｓ２０１）。
【００６７】
そして、裁断処理装置２０において紙詰まり等の何らかの障害（エラー）が発生すると（ステップＳ２０２）、裁断処理装置２０における裁断処理動作は停止され（ステップＳ２０３）、エラーが発生した旨を伝えるためのエラー情報が裁断処理装置２０から画像形成装置１０に通知される（ステップＳ２０３）。
【００６８】
この裁断処理装置２０からのエラー通知を受信した画像形成装置１０では、印刷処理動作を停止させる（ステップＳ１０２）。
【００６９】
そして、裁断処理装置２０では障害が発生するまでに正常に出力した用紙長が算出され、裁断処理装置２０から画像形成装置１０に対して、障害が発生するまでに正常に出力した用紙長の情報が通知される（ステップＳ２０４）。
【００７０】
すると、画像形成装置１０では、裁断処理装置２０から通知された用紙長の情報に基づいて、正常に出力された用紙長分の課金処理が行われる（ステップＳ１０３）。
【００７１】
さらに、画像形成装置１０では、裁断処理装置２０から受信した情報に基づく用紙長分の画像を除いた画像が作成され（ステップＳ１０４）、この作成された画像に基づく再印刷処理が行われる（ステップＳ１０５）。
【００７２】
次に、画像形成装置１０でエラーが発生した場合の動作を図１１を参照して説明する。
【００７３】
画像形成装置１０が印刷処理を開始すると、裁断処理装置２０においても裁断処理が開始される（ステップＳ３０１、Ｓ４０１）。
【００７４】
そして、画像形成装置１０において、用紙切れ、紙詰まり等の何らかの障害（エラー）が発生すると（ステップＳ３０２）、画像形成装置１０における印刷処理動作は停止され（ステップＳ３０３）、エラーが発生した旨を伝えるためのエラー情報が画像形成装置１０から裁断処理装置２０に通知される（ステップＳ３０４）。
【００７５】
この画像形成装置１０からのエラー通知を受信した裁断処理装置２０では、裁断処理動作を停止させる（ステップＳ４０２）。
【００７６】
そして、画像形成装置１０からのエラー通知を受信した裁断処理装置２０では障害が発生するまでに正常に出力した用紙長が算出され、裁断処理装置２０から画像形成装置１０に対して、この用紙長の情報が通知される（ステップＳ４０３）。
【００７７】
すると、画像形成装置１０では、裁断処理装置２０から通知された用紙長の情報に基づいて、正常に出力された用紙長分の課金処理が行われる（ステップＳ３０５）。
【００７８】
さらに、画像形成装置１０では、裁断処理装置２０から受信した情報に基づく用紙長分の画像を除いた画像が作成され（ステップＳ３０６）、この作成された画像に基づく再印刷処理が行われる（ステップＳ３０７）。
【符号の説明】
【００７９】
１０    画像形成装置
１１    ＣＰＵ
１２    メモリ
１３    記憶装置
１４    通信インタフェース（ＩＦ）
１５    ユーザインタフェース（ＵＩ）装置
１６    印刷部
１７    制御バス
２０    裁断処理装置
２１    ＣＰＵ
２２    メモリ
２３    記憶装置
２４    通信インタフェース（ＩＦ）
２５    ユーザインタフェース（ＵＩ）装置
２６    カット機構
２７    制御バス
３０    通信ケーブル
３１    制御部
３２    算出部
３３    データ送受信部
４１    制御部
４２    課金部
４３    データ送受信部
【図１】
0006319711.tif 000002
【図２】
0006319711.tif 000003
【図３】
0006319711.tif 000004
【図４】
0006319711.tif 000005
【図５】
0006319711.tif 000006
【図６】
0006319711.tif 000007
【図７】
0006319711.tif 000008
【図８】
0006319711.tif 000009
【図９】
0006319711.tif 000010
【図１０】
0006319711.tif 000011
【図１１】
0006319711.tif 000012